(57)【要約】【課題】洗浄ノズルより食器に向けて洗浄水を噴射して食器を洗浄する食器洗い機において、使用水量が安定していて洗浄能力の高い食器洗い機を提供することを目的とする。【解決手段】フィルター２０は、多数の穴を有する金属板の外周部にカーリング加工を施して形成した外枠部２２を有するフィルター本体３０と、樹脂製の把手部２３とで構成し、前記把手部２３の側壁または天面の少なくともいずれか一方に前記フィルター２０の表裏面間を連通する穴部２４、２５を設けたものである。【選択図】図１
2005342390.tif 000002
【特許請求の範囲】
【請求項１】
食器等を収容する洗浄槽と、前記洗浄槽内に配置した洗浄手段と、前記洗浄槽の底部に配置した排水口部と、この排水口部の上方に配設したフィルターとを備え、給水、洗浄、すすぎ、排水および乾燥を組み合わせて運転される食器洗い機であって、前記フィルターは、多数の穴を有する金属板の外周部にカーリング加工を施して形成した外枠部を有するフィルター本体と、樹脂製の把手部とで構成し、前記把手部の側壁または天面の少なくともいずれか一方に前記フィルターの表裏面間を連通する穴部を設けた食器洗い機。
【請求項２】
把手部に設けた穴部の上端が洗浄運転時の水位よりも高い位置になり、かつ、前記穴部の下端が給水運転時の水位よりも低い位置になるように構成した請求項１記載の食器洗い機。
【請求項３】
フィルター本体の略中央部を上方へ突出させた請求項１または２に記載の食器洗い機。
【請求項４】
フィルター本体の少なくとも一部を波形状とした請求項１または２に記載の食器洗い機。
【発明の詳細な説明】
【技術分野】
【０００１】
本発明は、洗浄ノズルより食器に向けて洗浄水を噴射して食器を洗浄する食器洗い機に関する。
【背景技術】
【０００２】
従来、この種の食器洗い機は図６に示すように構成していた。以下、その構成について説明する。図６に示すように、洗浄槽１内には洗浄水を噴射する洗浄ノズル２を回転自在に設けるとともに、食器３を収納する食器かご４を配置している。洗浄槽１内の洗浄水はヒータ５によって温水化され、洗浄ポンプ６にて洗浄配管経路部７を介して洗浄槽１の底部に配置した排水口部８から吸い込まれ、洗浄ノズル２に圧送される。洗浄ノズル２より勢いよく噴射される洗浄水によって、食器かご４に収納された食器３を洗浄する。このような洗浄水の循環を一定時間繰り返した後、排水ポンプ９にて排水配管経路部１０を介して排水口部８から洗浄水を排水し、排水配管経路部１０と連通している水位検知部１１が検知するまで給水弁１２から水を給水する。この一連の動作を数回繰り返すことによって食器３を洗浄し、すすぎを行うように構成している。
【０００３】
また、図７に示すように、排水口部８の上方にはフィルター１３を設けており、このフィルター１３は、略中央に略水平に設けた第１のフィルター１４と、第１のフィルター１４の周囲に略水平に設けた第２のフィルター１５と、第１のフィルター１４と第２のフィルター１５との境界部の下方に略鉛直に設けた第３のフィルター１６とを具備し、各々のフィルターの貫通穴の大きさは、第１のフィルター１４がもっとも大きく、次いで第２のフィルター１５、第３のフィルター１６の順である。
【０００４】
第３のフィルター１６の下端は排水口部８と排水配管経路部１０との接続部に当接する構成であり、かつ、第１のフィルター１４に上方へ突出した突起部１７を設け、この突起部１７の側壁にはフィルター１４の表裏面間を連通する縦長の角穴１８を設け、天面にはフィルター１４の表裏面間を連通する丸穴１９を設けたものである（例えば、特許文献１参照）。
【特許文献１】特開２００２−２０９８２５号公報
【発明の開示】
【発明が解決しようとする課題】
【０００５】
しかしながら、このような従来の食器洗い機においては、洗浄水は、第１のフィルター１４を通過した後、第３のフィルター１６を通過して洗浄配管経路部７に流入するか、もしくは第２のフィルター１５を通過して洗浄配管経路部７に流入する。この構成により、第２のフィルター１５の貫通穴よりも大きい固形物を回収して、食器３への固形物の再付着を抑制している。洗浄水の循環が進行すると、洗浄水に含まれる比較的小さな固形物によって、第３のフィルター１６が目詰まり状態に陥る。
【０００６】
また、洗浄水の循環運転が終了し、排水運転を開始すると、排水ポンプ９への吸込み水は主に第１のフィルター１４を通過するため、第１のフィルター１４の貫通穴の大きさよりも小さいもののほとんどが排出される。洗浄水中に固形物が多く含まれている場合、排水運転が進行すると、洗浄水中に浮遊していた比較的大きな固形物が第１のフィルター１４によって回収され、第１のフィルター１４が目詰まり状態に陥る。
【０００７】
次に、排水運転終了後、給水を開始すると、前記角穴の下端が、給水運転時の水位よりも高い位置になっており、第１のフィルター１４および第３のフィルター１６が目詰まりしているため、水位検知部１１への水の供給が遅れ、洗浄槽１内への給水水量が多くなり、使用水量が増えてしまう可能性がある。
【０００８】
また、給水行程が進行し、排水配管経路部１０内に水が浸入すると、第１のフィルター１４および第３のフィルター１６が目詰まりしているため、排水口部８と排水配管経路部１０との接続部は蓋をしたような状態となり、排水配管経路部１０内にある空気が逃げ道を失い、フィルター１３を押し上げる。このとき、フィルター１３と排水口部８との間に隙間が生じ、第１のフィルター１４と第２のフィルター１５および第３のフィルター１６で回収した固形物が洗浄配管経路部７に流入してしまい、結果的に洗浄能力の低下につながってしまう。
【０００９】
本発明は前記従来の課題を解決するもので、フィルターが目詰まりした場合でも、給水時の水位検知部への水の浸入路を確保するとともに、排水配管経路部内の空気の逃げ道を確保することができ、使用水量が安定していて洗浄能力の高い食器洗い機を提供するとともに、コスト的に安くすることを目的としている。
【課題を解決するための手段】
【００１０】
本発明は上記目的を達成するために、食器等を収容する洗浄槽と、前記洗浄槽内に配置した洗浄手段と、前記洗浄槽の底部に配置した排水口部と、この排水口部の上方に配設したフィルターとを備え、給水、洗浄、すすぎ、排水および乾燥を組み合わせて運転される食器洗い機であって、前記フィルターは、多数の穴を有する金属板の外周部にカーリング加工を施して形成した外枠部を有するフィルター本体と、樹脂製の把手部とで構成し、前記把手部の側壁または天面の少なくともいずれか一方に前記フィルターの表裏面間を連通する穴部を設けたものである。これにより、使用水量が安定していて洗浄能力の高い食器洗い機を提供することができる。
【発明の効果】
【００１１】
本発明の食器洗い機は、フィルターが目詰まりした場合でも、給水時の水位検知部への水の浸入路を確保するとともに、排水配管経路部内の空気の逃げ道を確保することができ、使用水量が安定していて洗浄能力の高い食器洗い機を安価に提供することができる。
【発明を実施するための最良の形態】
【００１２】
第１の発明は、食器等を収容する洗浄槽と、前記洗浄槽内に配置した洗浄手段と、前記洗浄槽の底部に配置した排水口部と、この排水口部の上方に配設したフィルターとを備え、給水、洗浄、すすぎ、排水および乾燥を組み合わせて運転される食器洗い機であって、前記フィルターは、多数の穴を有する金属板の外周部にカーリング加工を施して形成した外枠部を有するフィルター本体と、樹脂製の把手部とで構成し、前記把手部の側壁または天面の少なくともいずれか一方に前記フィルターの表裏面間を連通する穴部を設けたことにより、フィルターが目詰まりした場合でも、給水時の水位検知部への水の浸入路を確保して水位検知部の検知のタイミングのずれを防止することができるため、使用水量が安定していて洗浄能力の高い食器洗い機を提供することができる。
【００１３】
第２の発明は、上記第１の発明において、把手部に設けた穴部の上端が洗浄運転時の水位よりも高い位置になり、かつ、前記穴部の下端が給水運転時の水位よりも低い位置になるように構成したことにより、給水時の排水配管経路部内の空気の逃げ道を確保してフィルターの浮き上がりを防止し、フィルターで回収した固形物の洗浄配管経路部への流入を防止することができるため、使用水量が安定していて洗浄能力の高い食器洗い機を提供することができる。
【００１４】
第３の発明は、上記第１または第２の発明において、フィルター本体の略中央部を上方へ突出させたことにより、パンチングメタルの開口面積を大きくして洗浄運転中を通して、穴部への固形物のつまりを確実に防止することができるため、より簡素な形状で、廉価かつ洗浄能力が高い食器洗い機を提供することができる。
【００１５】
第４の発明は、上記第１または第２の発明において、フィルター本体の少なくとも一部を波形状としたことにより、洗浄運転中を通して、パンチングメタルの穴部を固形物が完全におおうことなく確実に目詰まりを防止することができるため、より簡素な形状で、廉価かつ洗浄能力が高い食器洗い機を提供することができる。
【００１６】
（実施の形態１）
図１は本発明の実施の形態１における食器洗い機の縦断面図、図２は同食器洗い機のフィルターの外観斜視図、図３は同食器洗い機の要部の縦断面図である。図１に示すように、洗浄槽１の底部には排水口８を設け、排水口部８の上方にはフィルター２０を配しており、水位検知部１１は排水配管経路部１０と連通している。また、図２および図３に示すように、フィルター２０には、多数の貫通穴を有し中央を略平面となしたパンチングメタル２１と、パンチングメタル２１の外周部にカーリング加工をして形成した外枠部２２と、パンチングメタル２１の外枠部２２の一側近傍から上方に突出した略角柱形状の把手部２３を設けている。この把手部２３の側壁にはフィルター２０の表裏面間を連通する縦長の角穴２４を設け、天面にはフィルター２０の表裏面間を連通する丸穴２５を設けている。
【００１７】
また、パンチングメタル２１と外枠部２２は一体化されてフィルター本体３０を構成し、把手部２３はポリプロピレン等の樹脂で形成され、フィルター本体３０とは別体としてある。ここで、角穴２４の上端が、洗浄運転時の水位よりも高い位置になっており、かつ角穴２４の下端が、給水運転時の水位よりも低い位置になるように構成している。そして、フィルター２０の下端は排水口部８に当接している。
【００１８】
上記構成において動作、作用を説明すると、食器３に付着していた固形物は、洗浄運転の進行とともに落とされ、洗浄水中に混入する。固形物を含んだ洗浄水は、フィルター２０を通過して洗浄配管経路部７に流入するため、フィルター２０の貫通穴よりも大きい固形物を回収して、食器３への固形物の再付着を抑制している。洗浄水の循環が進行すると、洗浄水に含まれる比較的小さな固形物によって、フィルター２０が目詰まり状態に陥る。また、洗浄水の循環運転が終了し、排水運転を開始すると、排水ポンプ９への吸込み水は主にフィルター２０を通過するため、フィルター２０の貫通穴の大きさよりも小さいもののほとんどが排出される。
【００１９】
洗浄水中に固形物が多く含まれている場合、排水運転が進行すると、洗浄水中に浮遊していた比較的大きな固形物がフィルター２０によって回収され、フィルター２０が目詰まり状態に陥る。このとき、把手部２３の角穴２４および丸穴２５の上端が、洗浄運転時の水位よりも高い位置になっているため、角穴２４および丸穴２５は詰まらない。
【００２０】
次に、給水運転を開始すると、角穴２４の下端が、給水運転時の水位よりも低い位置になるように構成しているため、主に角穴２４の開口部分から洗浄配管経路部７および排水配管経路部１０に水が浸入する。したがって、確実に水位検知部１１に水を供給することができるため検知が遅れることはなく、使用水量が増えることはない。
【００２１】
また、給水行程の進行とともに排水配管経路部内１０内の水位が上昇し、排水配管経路部１０内にあった空気が排水口８の方向へ移動するが、角穴２４よび丸穴２５によって空気の逃げ道が確保されているため、フィルター２０は浮き上がらない。このため、洗浄運転および排水運転によってフィルター２０で回収した固形物が洗浄配管経路部７に流入するのを防ぐことができるため、洗浄能力の低下を防ぐことができる。このことにより、使用水量が安定していて洗浄能力の高い食器洗い機を提供することができる。
【００２２】
また、把手部２３を略角柱形状としているため把手の機能を兼備させることができ、別に把手部を設ける必要が無いため、簡素な形状で廉価なフィルターとすることができる。このことにより、より簡素な形状で、廉価かつ洗浄能力が高い食器洗い機を提供することができる。
【００２３】
また、本実施例では水位検知部１１が排水配管経路部１０と連通する構成で説明したが、水位検知部１１が洗浄槽１と直接連通する構成の場合には、逆に水位検知のタイミングが早くなるのを防止することができ、使用水量の低下を防ぐことができるため、同様の効果を得ることができる。
【００２４】
以上のように本実施の形態の食器洗い機によれば、食器等を収容する洗浄槽と、前記洗浄槽内に配置した洗浄手段と、前記洗浄槽の底部に配置した排水口部と、この排水口部の上方に配設したフィルターとを備え、給水、洗浄、すすぎ、排水および乾燥を組み合わせて運転される食器洗い機であって、前記フィルターは、多数の穴を有する金属板の外周部にカーリング加工を施して形成した外枠部を有するフィルター本体と、樹脂製の把手部とで構成し、前記把手部の側壁または天面の少なくともいずれか一方に前記フィルターの表裏面間を連通する穴部を設けたものであるから、給水時の水位検知部への水の浸入路を確保して水位検知部の検知のタイミングのずれを防止することができるとともに、給水時の排水配管経路部内の空気の逃げ道を確保してフィルターの浮き上がりを防止し、フィルターで回収した固形物の洗浄配管経路部への流入を防止することができるため、使用水量が安定していて洗浄能力の高い食器洗い機を提供することができる。
【００２５】
また、本実施例ではパンチングメタル２１の外枠部２２の一側近傍から上方に突出させて略角柱形状の把手部を設ける構成としたが、把手およびフィルターそれぞれの機能を満足する位置であればどこでも良い。
【００２６】
また、角穴２４の下端が運転時の水位よりも高い位置に、かつ、角穴２４の上端が給水運転時の水位よりも低い位置になるように角穴２４を設けたが、それぞれの働きをする穴を別々に設ける構成であっても良い。
【００２７】
（実施の形態２）
図４は本発明の実施の形態２における食器洗い機の要部の縦断面図である。図４において、パンチングメタル２１は中央部を上方へ突出させることにより開口面積を大きくし、その分パンチングメタル２１の穴径を小さくして、より小さい固形物２６を回収して洗浄運転中を通して、穴部への固形物２６のつまりを確実に防止することができるため、より簡素な形状で、廉価かつ洗浄能力が高い食器洗い機を提供することができる。
【００２８】
また、角穴２４の上部および丸穴２５は、洗浄運転時を通して洗浄水位よりも高い位置にあるため、洗浄水に混入した固形物が通過する機会がなく、確実に目詰まりを防止することができる。
【００２９】
また、把手部２３を略角柱形状としているため把手の機能を兼備させることができ、別に把手部を設ける必要が無いため、簡素な形状で廉価なフィルターとすることができる。このことにより、より簡素な形状で、廉価かつ洗浄能力が高い食器洗い機を提供することができる。
【００３０】
以上のように本実施の形態の食器洗い機によれば、フィルター本体の略中央部を上方へ突出させたことによりパンチングメタルの開口面積を大きくして洗浄運転中を通して、穴部への固形物のつまりを確実に防止することができるため、より簡素な形状で、廉価かつ洗浄能力が高い食器洗い機を提供することができる。
【００３１】
（実施の形態３）
図５は本発明の実施の形態３における食器洗い機の要部の縦断面図である。図５において、パンチングメタル２１の略中央部を波形状にすることにより、洗浄運転中を通して、パンチングメタル２１の穴部を固形物２６が完全におおうことなく確実に目詰まりを防止することができるため、より簡素な形状で、廉価かつ洗浄能力が高い食器洗い機を提供することができる。
【産業上の利用可能性】
【００３２】
以上のように、本発明にかかる食器洗い機は、フィルターが目詰まりした場合でも、給水時の水位検知部への水の浸入路を確保するとともに、排水配管経路部内の空気の逃げ道を確保することができ、使用水量が安定していて洗浄能力の高い食器洗い機を安価に提供することが可能となるので、洗浄水を噴射して食器を洗浄する食器洗い機等として有用である。
【図面の簡単な説明】
【００３３】
【図１】本発明の実施の形態１の食器洗い機の縦断面図
【図２】同食器洗い機のフィルターの外観斜視図
【図３】同食器洗い機の要部の縦断面図
【図４】本発明の実施の形態２の食器洗い機の要部の縦断面図
【図５】本発明の実施の形態３の食器洗い機の要部の縦断面図
【図６】従来の食器洗い機の縦断面図
【図７】従来の食器洗い機の要部の縦断面図
【符号の説明】
【００３４】
１  洗浄槽
２  洗浄ノズル
２０  フィルター
２１  パンチングメタル
２２  外枠部
２３  把手部
２４  角穴
２５  丸穴
【図１】
2005342390.tif 000003
【図２】
2005342390.tif 000004
【図３】
2005342390.tif 000005
【図４】
2005342390.tif 000006
【図５】
2005342390.tif 000007
【図６】
2005342390.tif 000008
【図７】
2005342390.tif 000009